(57)【要約】【課題】枠体と枠体上面に備えた操作部７の隙間から侵入した水滴を的確に処理し、電装部品を保護する。【解決手段】枠体内の上部に蒸発器２３と凝縮器２４と送風ファン２５と水受け皿１４を備え、前記蒸発器２３で発生したドレン水を水受け皿１４を介して溜めるドレンタンク１５を水受け皿１４下方に備え、前記枠体１は底板２と一対の側板３・４と枠体上部に傾斜して備えた操作部７等とで構成され、この操作部７の外周には水滴案内溝１１を設け、前記水滴案内溝１１の端部１３下方には水受け皿１４またはドレンタンク１５を位置させたものである。【選択図】      図３
2004340460.tif 000002
【特許請求の範囲】
【請求項１】
枠体内の上部に蒸発器と凝縮器と送風ファンと水受け皿を備え、前記蒸発器で発生したドレン水を水受け皿を介して溜めるドレンタンクを水受け皿下方に備え、前記枠体は底板と一対の側板と枠体上部に傾斜して備えた操作部又は表示部等とで構成され、この操作部又は表示部の外周には水滴案内溝を設け、前記水滴案内溝の端部下方には水受け皿またはドレンタンクを位置させた事を特徴とする除湿機。
【発明の詳細な説明】
【０００１】
【発明の属する技術分野】
この発明は、一般家庭で使用される小型の除湿機に関するものである。
【０００２】
【従来の技術】
従来一般家庭で使用される除湿機は、洗濯物を乾燥させるために洗濯物を吊した真下に置いて、直接洗濯物に乾燥空気を吹きかけることで短時間に洗濯物を乾燥させるという様な使用方法が行われる事が多かった。そして除湿機の操作部又は表示部は枠体と一体に上面に形成された穴やボタンを、柔軟性のあるフィルムで覆うことで操作部又は表示部裏面に備えた制御基板等の電気部品に洗濯物等の水滴が侵入して故障が発生する事を防止していた。（例えば、特許文献１参照）
【０００３】
【特許文献１】
実公平７−４４１６号公報
【０００４】
【発明が解決しようとする課題】
ところで、操作部又は表示部を枠体と一体に形成した場合には、操作部や表示部のユニット化ができないために、除湿機の組立コスト削減等の障害になるものであった。また上面板全体を枠体とは別部品で構成し、この上面板の裏面に電気部品を取り付ける事もできるが、デザインや設計が制限される問題があり、操作部や表示部を枠体と別体に構成し、枠体上面に配置した場合には、枠体と操作部又は表示部の隙間から洗濯物から滴下した水滴が器具内に侵入して操作部又は表示部の裏面に位置する電気部品に故障が発生する原因となるものであった。
【０００５】
【課題を解決するための手段】
この発明はこの点に着目し上記欠点を解決する為、枠体内の上部に蒸発器と凝縮器と送風ファンと水受け皿を備え、前記蒸発器で発生したドレン水を水受け皿を介して溜めるドレンタンクを水受け皿下方に備え、前記枠体は底板と一対の側板と枠体上部に傾斜して備えた操作部又は表示部等とで構成され、この操作部又は表示部の外周には水滴案内溝を設け、前記水滴案内溝の端部下方には水受け皿またはドレンタンクを位置させたものである。
【０００６】
これによって、コンパクトでスッキリしたデザインが可能となり、枠体と操作部又は表示部の隙間から洗濯物から滴下した水滴がこの隙間から器具内に侵入しても、速やかに水受け皿やドレンタンクに導かれ、操作部又は表示部の裏面に位置する電装部品の故障をまねくような事も無くなるものである。
【０００７】
【発明の実施の形態】
この発明の除湿機を図面に示した一実施例で説明すれば、１は除湿機の枠体で平面縦長で後部から前部に向かうに従ってその幅寸法が徐々に広くなる形状の底板２上の外周形状に沿って上方に形成され左右が略対称の左側板３と右側板４とを設け、左右の側板３・４の上面中央から後方の枠体嵌合部５には取手部６を形成し、この取手部６の前方には操作部７取付用の開口を備え、この操作部７の取付で前方向に向かって徐々に前下がりの傾斜面を形成し、前記底板２と左右の側板３・４と操作部７によって本体の外郭を構成している。
【０００８】
前記操作部７はボタン形状の切込み８や表示ランプ用の穴９が設けられ、操作部７の上面全体を柔軟性を有する樹脂フイルム１０を接着剤にて貼り付けて覆っている。
また前記操作部７の外周の上部から左右側部には、前記左右側板３・４との間の隙間より侵入した水滴を案内する溝１１を設けている。この水滴案内溝１１内に前記側板３・４の開口縁より垂下するリブ１２を形成し、確実に隙間より侵入した水滴を案内溝１１に導くものであり、案内溝１１に導かれた水滴は左右の溝端部１３から下方の水受け皿１４やドレンタンク１５へ流れてゆくものである。
【０００９】
１６は前記底板２の前後方向の略中央に垂直に取付けられ、前後方向に隔てる仕切板で、この仕切板１６の後方には機械室１７を、前方にはタンク室１８を設け、前記機械室１７の左右対称線上に圧縮機１９が、タンク室１８には前方に引き出して着脱自在の前記ドレンタンク１５を備えている。
【００１０】
２０は前記左側板３に上部に形成された吸込口で、横長のスリットを多数備えた開口が設けられ、左側板３の側面は左斜め後方に向いているので、正面からは吸込口２０が隠れてほとんど見えないものである。
２１は前記右側板４の上面に設けた吹出口で、開いた時に風向板を兼ねる開閉自在の蓋２２によって乾燥空気の吹出方向を右斜め上方向から水平方向に自由にかえることができるものである。
【００１１】
前記吸込口２０の内側には樹脂製の網や不織布からなり、吸入空気に混入するホコリを取り除くフィルタ（図示せず）をそなえている。このフィルタの内側にはフィンチューブ式の熱交換器からなる蒸発器２３と、蒸発器２３の更に下流には、同じくフィンチューブ式の熱交換器からなる凝縮器２４を設け、この凝縮器２４の下流には送風ファン２５及びこのファン２５を駆動するファンモータ２６が設けられ、前記吸込口２０と吹出口２１の間に形成した送風経路２７の送風を行うものである。
【００１２】
前記凝縮器２４とファンモータ２６の間には、樹脂材料で一体成型された熱交固定部材２８を設け、この熱交固定部材２８は前記モータ２６を取付けると共に送風ファン２５の吸入口２９を備えたファンガイド部３０と、前記蒸発器２３と凝縮器２４のフィンの上面や銅管を固定する上部固定部３１と、蒸発器２３で発生した結露水を受ける前記水受け皿１４を一体に成形し、前記ファンガイド部３０と上部固定部３１の間と、ファンガイド部３０と水受け皿１４の間に、折曲可能な肉薄部３２を形成し、この肉薄部３２を中心にして約９０度の角度で折り曲げて、蒸発器２３と凝縮器２４を挟み込み固定するものである。
【００１３】
３３はモータ取付部で、前記吸入口２９より立設される足の間を吸込空気が通過するものである。
３４は前記上部固定部３１の左右に突出する上固定片で、前記蒸発器２３、凝縮器２４の銅管等の上部を押さえるものである。
３５は前記水受け皿１４の左右に突出する下固定片で、前記蒸発器２３、凝縮器２４の銅管等の下部を押さえるものである。
【００１４】
前記ファンガイド部３０の下部にはネジ穴用凸部３６を、折曲状態でこの凸部３６に対向する水受け皿１４にはネジ穴３７を備え、ファンガイド部３０と水受け皿１４の折曲状態をネジ３８にて保持する固定手段を備えるものである。
又前記上部固定部３１の下部には爪部３９を、折曲状態でこの爪部３９が係止する、溝又は突起４０をファンガイド部３０の上部に設ける係止手段を備えるものである。
【００１５】
前記圧縮機１９は凝縮器２４とキャピラリーチューブ等の減圧装置（図示せず）と蒸発器２３を冷媒配管で連通して、圧縮機１９の運転により凝縮器２４は高温になり、蒸発器２３は低温になるものである。
【００１６】
前記ドレンタンク１５は枠体１の左右両側面間の寸法を後部より前方に向かうに従って幅広に形成し、前面下部に大きな容積で設ける。また、前記ドレンタンク１５は下部前面で前面穴４１に着脱自在に設けられ、ドレンタンク１５装着時に前記水受け皿１４の排水口４２から排水される結露水を溜めるものであり、タンク前面下部にはタンク１５を前面に引き出すための取手用凹部４３を備えている。
【００１７】
前記操作部７には運転ボタン４４、タイマーボタン４５、運転コース選択ボタン４６等のボタン類と各種ランプや発光ダイオードによる表示部４７を備え、前記枠体１の左右両側面間の寸法を後部より前方に向かうに従って幅広に形成し、ドレンタンク１５上方の広い上面に設けたので、とても見やすく操作がしやすいものである。また前記操作部７はリモコン等を使用する場合はボタン類を設けずに表示部４７のみでもよいものである。
【００１８】
４８は制御基板等の電装部品で、前記操作部７の下方で、上部固定部３１の上面に位置するものであるが、前記操作部７に備えた水滴案内溝１１と、この水滴案内溝１１内に前記側板３・４の開口縁より形成したリブ１２によって、操作部７と側板３・４の隙間から侵入する、洗濯物等から滴下する水滴を確実に案内溝１１に導く事で、電装部品４８を保護するものである。
【００１９】
このようにすることで、コンパクトでスッキリしたデザインが可能となり、枠体１と操作部７の隙間から洗濯物から滴下した水滴がこの隙間から器具内に侵入しても、速やかに水受け皿１４やドレンタンク１５に導かれ、操作部７の裏面に位置する電装部品４８の故障をまねくような事も無くなるものである。
また侵入した水滴は電装部品４８を避けるだけでなく、器具外へ飛び散ったり排出される様な事もなくドレン水と一緒にドレンタンク１５に回収されるものである。
また小型の除湿機であってもドレンタンク１５を比較的大きく形成する事ができると共に、ドレンタンク１５が枠表面に露出する面積が大きくなり、ドレンタンク１５内の水位を確認する事が極めて容易になるものである。
また、正面からは側面の吸込口が見えなくなりデザイン性も向上するものである。
【００２０】
【発明の効果】
以上のようにこの発明によれば、枠体と操作部の隙間から洗濯物から滴下した水滴がこの隙間から器具内に侵入しても、速やかに水受け皿やドレンタンクに導かれ、操作部の裏面に位置する電装部品の故障をまねくような事も無くなるものである。
また侵入した水滴は電装部品を避けるだけでなく、器具外へ飛び散ったり排出される様な事もなくドレン水と一緒にドレンタンクに回収されるものである。
【図面の簡単な説明】
【図１】この発明一実施例の斜視図。
【図２】同分解状態の斜視図。
【図３】同正面中央の拡大断面図。
【図４】同操作部の斜視図。
【図５】同要部側面拡大断面図。
【図６】同正面側要部の拡大断面図。
【図７】同組立前の熱交固定部材の断面図。
【符号の説明】
１  枠体
２  底板
３  左側板
４  右側板
７  操作部
１１  水滴案内溝
１２  リブ
１３  溝端部
【図１】
2004340460.tif 000003
【図２】
2004340460.tif 000004
【図３】
2004340460.tif 000005
【図４】
2004340460.tif 000006
【図５】
2004340460.tif 000007
【図６】
2004340460.tif 000008
【図７】
2004340460.tif 000009